(57)【特許請求の範囲】
【請求項１】
第一受付部および第一無線通信部を有する第一無線通信端末と、
無線通信部を有するデータ共有装置と、
第二無線通信部を有する第二無線通信端末と、
を含むデータ共有システムであって、
前記第一受付部は、前記第一無線通信端末の制御下にある第一記録媒体に記録されている共有データの選択を受け付け、
前記共有データの選択が受け付けられた後、前記第一無線通信部は、前記データ共有装置への接近に伴って前記無線通信部との近接場通信が可能となった場合に、前記共有データの送信を要求する共有データ送信要求を送信し、
前記共有データ送信要求を送信した後、前記第一無線通信部は、前記共有データを前記無線通信部に送信し、
前記無線通信部は、前記第一無線通信部との近接場通信が可能となった場合に前記共有データ送信要求を受信し、
前記共有データ送信要求を受信した後、前記無線通信部は、前記第一無線通信部から前記共有データを受信し、前記データ共有装置の制御下にある記録媒体に記録し、
前記第二無線通信端末は、前記データ共有装置への接近に伴って前記無線通信部との近接場通信が可能となった場合に、共有データ受信要求を送信し、
前記無線通信部は、前記第二無線通信端末の接近に伴って前記第二無線通信部との近接場通信が可能となった場合に、前記共有データ受信要求を受信し、前記記録媒体に記録されている前記共有データを前記第二無線通信部に送信し、
前記第二無線通信部は、前記無線通信部から前記共有データを受信し、前記第二無線通信端末の制御下にある第二記録媒体に記録する、
データ共有システム。
【請求項２】
前記第一無線通信部は、近接場通信を行う第一近接場通信部と、前記近接場通信より高速な高速無線通信を行う第一高速無線通信部と、を含み、
前記無線通信部は、近接場通信を行う近接場通信部と、前記近接場通信より高速な高速無線通信を行う高速無線通信部と、を含み、
前記第二無線通信部は、近接場通信を行う第二近接場通信部と、前記近接場通信より高速な高速無線通信を行う第二高速無線通信部と、を含み、
前記共有データの選択が受け付けられた後、前記第一近接場通信部は、前記近接場通信部との近接場通信が可能となった場合に、前記共有データの送信を要求する共有データ送信要求を送信し、
前記共有データ送信要求を送信した後、前記近接場通信部は、前記第一高速無線通信部と前記高速無線通信部との高速無線通信を確立するための第一接続情報を前記近接場通信部から受信し、
前記第一高速無線通信部は、前記第一接続情報を用いて前記高速無線通信部との高速無線通信を確立して前記高速無線通信部に前記共有データを送信し、
前記第二近接場通信部は、前記近接場通信部との近接場通信が可能となった場合に、共有データ受信要求を送信し、
前記近接場通信部が前記共有データ受信要求を受信した後、前記第二高速無線通信部と前記高速無線通信部との高速無線通信を確立するための第二接続情報を前記近接場通信部から受信し、
前記第二高速無線通信部は、前記第二接続情報を用いて前記高速無線通信部との高速無線通信を確立して前記高速無線通信部から前記共有データを受信する、
請求項１に記載のデータ共有システム。
【請求項３】
前記第一受付部は、前記共有データの共有許可回数の入力を受け付け、
前記第一無線通信部は、前記無線通信部に前記共有許可回数を送信し、
前記無線通信部は、
前記第一無線通信部から前記共有許可回数を受信し、
前記共有データの前記無線通信部からの送信回数が前記共有許可回数未満である場合に前記第二無線通信部に前記共有データを送信する、
請求項１または請求項２に記載のデータ共有システム。
【請求項４】
前記無線通信部は、前記送信回数が前記共有許可回数に達した場合に、前記記録媒体に記録されている前記共有データを削除する、
請求項３に記載のデータ共有システム。
【請求項５】
前記無線通信部は、前記第一無線通信部または前記第二無線通信部から前記共有データの削除指示を受信したことに応じて前記記録媒体に記録されている前記共有データを削除する、
請求項１〜請求項４のいずれかに記載のデータ共有システム。
【請求項６】
前記第一高速無線通信部は、前記高速無線通信部に前記共有データを送信した後、前記高速無線通信部との前記高速無線通信を切断し、前記第一接続情報を破棄する、
請求項２〜請求項５のいずれかに記載のデータ共有システム。
【請求項７】
前記第二高速無線通信部は、前記高速無線通信部から前記共有データを受信した後、前記高速無線通信部との前記高速無線通信を切断し、前記第二接続情報を破棄する、
請求項２〜請求項６のいずれかに記載のデータ共有システム。
【請求項８】
無線通信部を有するデータ共有装置であって、
前記無線通信部は、
予め共有データの選択が受け付けられた第一無線通信端末の接近に伴って前記第一無線通信端末との近接場通信が可能となった場合に、前記第一無線通信端末から送信された前記共有データの送信を要求する共有データ送信要求を受信し、
前記共有データ送信要求を受信した後、前記第一無線通信端末から共有データを受信して記録媒体に記録し、
第二無線通信端末の接近に伴って前記第二無線通信端末との近接場通信が可能となった場合に、前記第二無線通信端末から送信された共有データ受信要求を受信し、
前記共有データ送信要求を受信した後、前記記録媒体に記録された前記共有データを前記第二無線通信端末に送信する、
データ共有装置。
【発明の詳細な説明】
【技術分野】
【０００１】
本発明は、データ共有システム、データ共有装置に関する。
【背景技術】
【０００２】
従来、二つの携帯端末間で無線通信によって電話帳データ等の交換を行う技術が知られている（例えば、特許文献１）。また、従来から近接場通信も知られている。例えば特許文献２には、複合機に備えられた近接場通信用のアンテナに携帯端末を接近させることにより、近接場通信によってスキャンデータを携帯端末に取り込むことや、携帯端末に保存されている画像データを複合機に送信して印刷させること等が記載されている。また従来、ストレージ機能を有する装置（データ共有装置）を経由して２端末間でデータの受け渡しをする構成も知られている。
【先行技術文献】
【特許文献】
【０００３】
【特許文献１】特開２００９−２０６７２７号公報
【特許文献２】特開２０１０−１７７９３８号公報
【発明の概要】
【発明が解決しようとする課題】
【０００４】
しかし従来の構成は、データ共有装置を経由した２端末間のデータの受け渡しを便利にするものではなかった。具体的には従来は、データ送信側の端末のユーザーは、当該端末とデータ共有装置との無線通信接続のための操作と、送信したいデータを選択する操作と、選択したデータを送信するための操作とを行う必要があった。また、データ受信側の端末のユーザーは、端末とデータ共有装置との無線通信接続のための操作と、データ共有装置の共有フォルダを参照するための操作と、共有フォルダ内のデータを選択する操作と、選択したデータをデータ共有装置から受信するための操作とを行う必要があった。
本発明は、データ共有装置を介した２端末間のデータ共有の利便性を向上させることを目的とする。
【課題を解決するための手段】
【０００５】
上記目的を達成するためのデータ共有システムは、第一無線通信端末とデータ共有装置と第二無線通信端末とを備える。第一無線通信端末は、第一受付部および第一無線通信部を有する。データ共有装置は、無線通信部を有する。第二無線通信端末は、第二無線通信部を有する。そして、第一受付部は、第一無線通信端末の制御下にある第一記録媒体に記録されている共有データの選択を受け付ける。第一無線通信部は、データ共有装置への接近に伴って無線通信部との近接場通信が可能となった場合に、共有データを無線通信部に送信する。無線通信部は、第一無線通信部との近接場通信が可能となった場合に第一無線通信部から共有データを受信し、データ共有装置の制御下にある記録媒体に記録する。また無線通信部は、第二無線通信端末の接近に伴って第二無線通信部との近接場通信が可能となった場合に、記録媒体に記録されている共有データを第二無線通信部に送信する。第二無線通信部は、無線通信部との近接場通信が可能となった場合に無線通信部から共有データを受信し、第二無線通信端末の制御下にある第二記録媒体に記録する。
【０００６】
本発明の場合、第一無線通信端末のユーザーは、第一無線通信端末の制御下にある第一記録媒体に記録されている共有データを選択した状態で第一無線通信端末をデータ共有装置に接近させることで、第一無線通信端末とデータ共有装置との通信を確立するための設定操作を行わなくても容易に共有データをデータ共有装置に送信させデータ共有装置の制御下にある記録媒体に記録させることができる。また、第二無線通信端末のユーザーは、第二無線通信端末をデータ共有装置に接近させることで、第二無線通信端末とデータ共有装置との通信を確立するための設定操作を行わなくても容易にデータ共有装置の記録媒体に記録されている共有データを第二無線通信端末に取得させ第二無線通信端末の制御下にある第二記録媒体に記録させることができる。したがって本発明によると、データ共有装置を介した２端末間のデータ共有の利便性を向上させることができる。
【０００７】
また本発明の場合、第二無線通信端末のユーザーは第二無線通信端末をデータ共有装置に接近させることでデータ共有装置の記録媒体に共有データとして記録されているデータを第二無線通信端末に取得させることができる構成であり、第二無線通信端末のユーザーがデータ共有装置の記録媒体に記録されているデータの一覧を参照し、その中から取得したいデータを選択するという操作を行う必要がない。当該操作を必要としないことも、データ共有の利便性の向上に寄与する。
【０００８】
なお、第一無線通信端末からデータ共有装置への共有データの送信は、第一無線通信端末とデータ共有装置との近接場通信が可能となったことをきっかけとして実施されるものであればよい。したがって共有データの送信は近接場通信によって行われてもよいし、後述するように近接場通信とは別方式の無線通信で行われてもよい。また、データ共有装置から第二無線通信端末への共有データの送信も同様に、第二無線通信端末とデータ共有装置との近接場通信が可能となったことをきっかけとして実施されるものであればよく、共有データの送信は近接場通信によって行われてもよいし、後述するように近接場通信とは別方式の無線通信で行われてもよい。
【０００９】
さらに、上記目的を達成するためのデータ共有システムにおいて、第一無線通信部は、近接場通信を行う第一近接場通信部と、近接場通信より高速な高速無線通信を行う第一高速無線通信部と、を含んでもよい。また無線通信部は、近接場通信を行う近接場通信部と、近接場通信より高速な高速無線通信を行う高速無線通信部と、を含んでもよい。また、第二無線通信部は、近接場通信を行う第二近接場通信部と、近接場通信より高速な高速無線通信を行う第二高速無線通信部と、を含んでもよい。そして第一近接場通信部は、近接場通信部との近接場通信が可能となった場合に、第一高速無線通信部と高速無線通信部との高速無線通信を確立するための第一接続情報を近接場通信部から受信する。第一高速無線通信部は、第一接続情報を用いて高速無線通信部との高速無線通信を確立して高速無線通信部に共有データを送信する。第二近接場通信部は、近接場通信部との近接場通信が可能となった場合に、第二高速無線通信部と高速無線通信部との高速無線通信を確立するための第二接続情報を近接場通信部から受信する。第二高速無線通信部は、第二接続情報を用いて高速無線通信部との高速無線通信を確立して高速無線通信部から共有データを受信する。
【００１０】
この構成の場合、第一無線通信端末のユーザーが第一無線通信端末をデータ共有装置に接近させることによって、データ共有装置との高速無線通信確立のための第一接続情報の取得と、第一接続情報を用いたデータ共有装置との高速無線通信の確立および共有データの送信とを自動的に行うことができる。また、第二無線通信端末のユーザーが第二無線通信端末をデータ共有装置に接近させることによって、データ共有装置との高速無線通信確立のための第二接続情報の取得と、第二接続情報を用いたデータ共有装置との高速無線通信の確立および共有データの受信とを自動的に行うことができる。本構成によりユーザーの利便性が向上する。
【００１１】
さらに、上記目的を達成するためのデータ共有システムにおいて、第一受付部は、共有データの共有許可回数の入力を受け付け、第一無線通信部は無線通信部に共有許可回数を送信してもよい。その場合に無線通信部は、第一無線通信部から共有許可回数を受信し、共有データの送信回数が共有許可回数未満である場合に第二無線通信部に共有データを送信してもよい。
この場合、第一無線通信端末のユーザーが指定した共有許可回数を超えて共有データがデータ共有装置から他の端末に送信されることを防止することができる。その結果、情報漏えいの可能性を低減できる。
【００１２】
さらに、上記目的を達成するためのデータ共有システムにおいて、無線通信部は、送信回数が共有許可回数に達した場合に、記録媒体に記録されている共有データを削除してもよい。
データ共有装置の無線通信部が、送信回数が共有許可回数に達した場合に記録媒体から共有データを削除することにより、ユーザーが手動でデータ共有装置の記録媒体から共有データを削除するための操作を行う手間を省略することができる。また、情報漏えいの可能性を低減できる。
【００１３】
さらに、上記目的を達成するためのデータ共有システムにおいて、無線通信部は、第一無線通信部または第二無線通信部から共有データの削除指示を受信したことに応じて記録媒体に記録されている共有データを削除してもよい。
この構成の場合、第一無線通信部または第二無線通信部から削除指示を受信すると、データ共有装置の記録媒体に記録されていた共有データを削除することができる。なおデータ共有装置の無線通信部は、第一無線通信端末の第一無線通信部または第二無線通信端末の第二無線通信部から無線通信によって削除指示を受信することができればよく、受信の態様としては様々な構成を想定してよい。例えば近接場通信によって削除指示を受信する構成であってもよいし、高速無線通信によって削除指示を受信する構成であってもよいし、また別の無線通信によって受信する構成であってもよい。
【００１４】
さらに、上記目的を達成するためのデータ共有システムにおいて、第一無線通信端末の第一高速無線通信部は、データ共有装置の高速無線通信部に共有データを送信した後、高速無線通信部との高速無線通信を切断し、第一接続情報を破棄してもよい。
データ共有装置において同時に高速無線通信での接続が可能な無線通信端末の個数に制限がある場合、共有データ送信後も第一無線通信端末とデータ共有装置との高速無線通信の接続状態が継続することは望ましくない（他の無線通信端末がデータ共有装置と高速無線通信を確立できなくなる可能性があるため）。本構成の場合、第一無線通信端末とデータ共有装置との高速無線通信接続の切断が共有データ送信後に自動的に行われるため、ユーザーが手動で切断のための操作をする構成と比較してユーザーの手間を軽減することができる。また、第一接続情報を第一無線通信端末が破棄することにより、第一無線通信端末がデータ共有装置と再び自動的に接続を確立することを防止することができる。
【００１５】
さらに、上記目的を達成するためのデータ共有システムにおいて、第二無線通信端末の第二高速無線通信部は、データ共有装置の高速無線通信部から共有データを受信した後、高速無線通信部との高速無線通信を切断し、第二接続情報を破棄してもよい。
データ共有装置において同時に高速無線通信での接続が可能な無線通信端末の個数に制限がある場合、共有データ受信後も第二無線通信端末とデータ共有装置との接続状態が継続することは望ましくない。本構成の場合、第二無線通信端末とデータ共有装置との高速無線通信接続の切断が共有データ受信後に自動的に行われるため、ユーザーが手動で切断のための操作をする構成と比較してユーザーの手間を軽減することができる。また、第二接続情報を第二無線通信端末が破棄することにより、第二無線通信端末がデータ共有装置と再び自動的に接続を確立することを防止することができる。
【００１６】
なお、本発明は、第一無線通信端末から第二無線通信端末への共有データの受け渡しを仲介するデータ共有装置の発明としても成立する。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１７】
【図１】データ共有システムの構成を示すブロック図。
【図２】データ共有シーケンスを示すシーケンス図。
【図３】他の実施形態にかかるシーケンス図。
【発明を実施するための形態】
【００１８】
以下、本発明の実施の形態を添付図面を参照しながら説明する。尚、各図において対応する構成要素には同一の符号が付され、重複する説明は省略される。
１．第一実施形態：
１−１．構成：
図１は、本発明の実施形態にかかるデータ共有システム１の構成を示すブロック図である。データ共有システム１は、データ共有装置としてのプリンター１０と、第一無線通信端末としてのスマートフォン１１と、第二無線通信端末としてのスマートフォン１２とを含む。
【００１９】
プリンター１０は、通信Ｉ／Ｆ部１００と制御部１０１と印刷部１０２とユーザーＩ／Ｆ部１０３とを備えている。制御部１０１は、ＣＰＵやＲＯＭやＲＡＭや記録媒体としての不揮発性メモリ等からなり、ＲＯＭや不揮発性メモリに記録された各種プログラムをＲＡＭを用いてＣＰＵが実行することによってプリンター１の各部を制御することができる。上述の各種プログラムには、通信制御プログラムや印刷制御プログラムが含まれる。通信制御プログラムは、高速無線通信としてのWi-Fi Direct（登録商標）の簡易アクセスポイントとして他の機器と通信するための制御プログラムや、近接場通信としてのＮＦＣ（Near Field Communication）で他の機器と通信するための制御プログラムを含む。また通信制御プログラムには、他の様々な規格の通信を行うための制御プログラムも含まれる。印刷制御プログラムは、印刷部１０２を制御して印刷機能を実現するためのプログラムである。
【００２０】
通信Ｉ／Ｆ部１００は、近接場通信Ｉ／Ｆ部１００ａと高速無線通信Ｉ／Ｆ部１００ｂとを含んでいる。近接場通信Ｉ／Ｆ部１００ａは、ＮＦＣによる通信を行うためのインターフェース回路を備えている。高速無線通信Ｉ／Ｆ部１００ｂは、Wi-Fi Directの簡易アクセスポイントとしてWi-Fi通信を行うためのインターフェース回路等を備えている。本実施形態においては、Wi-Fi Directによる無線通信の通信速度は、ＮＦＣによる無線通信の通信速度よりも高速である。また、Wi-Fi Directによる無線通信が可能な距離は、ＮＦＣによる無線通信が可能な距離よりも長い。
【００２１】
なお、通信制御プログラムを実行する制御部１０１と通信Ｉ／Ｆ部１００とは、無線通信部に相当する。特に、通信制御プログラムを実行する制御部１０１と近接場通信Ｉ／Ｆ部１００ａとは、近接場通信部に相当し、通信制御プログラムを実行する制御部１０１と高速無線通信Ｉ／Ｆ部１００ｂとは高速無線通信部に相当する。
【００２２】
印刷部１０２は、インクジェット方式、電子写真方式など周知の印刷方式で写真紙・普通紙・ＯＨＰシート等の印刷媒体に印刷を実行するためのアクチュエーターやセンサーや駆動回路や機械部品を備えている。ユーザーＩ／Ｆ部１０３は、タッチパネルや操作キー等で構成された操作パネルを備える。
【００２３】
スマートフォン１１は、制御部１１０、音声を発生させるスピーカー１１１、音声を集音するマイク１１２、ユーザーＩ／Ｆ部１１３、第一通信Ｉ／Ｆ部１１４、カメラ１１５、メモリーカードＩ／Ｆ部１１６等を備えている。制御部１１０は、ＣＰＵ，ＲＡＭ，ＲＯＭ，不揮発性メモリ等からなり、ＲＯＭや不揮発性メモリに記録された各種プログラムをＣＰＵが実行することができる。当該プログラムには、ＮＦＣやWi-Fi Direct等の様々な通信方式やプロトコルに基づく通信を行うための通信制御プログラムや、当該通信制御プログラムと連携してプリンター１０を介した他端末とのデータ共有機能を実現するためのデータ共有アプリケーションプログラムが含まれる。
【００２４】
第一通信Ｉ／Ｆ部１１４は、ＮＦＣによる通信を行うためのインターフェース回路等を含む第一近接場通信Ｉ／Ｆ部１１４ａと、Wi-Fi Directによる通信を行うためのインターフェース回路等を含む第一高速無線通信Ｉ／Ｆ部１１４ｂとを備えている。メモリーカードＩ／Ｆ部１１６は、スマートフォン１１に接続されたメモリーカード１１６ａと通信しデータの読み書きや削除等を行うためのインターフェース回路を含む。カメラ１１５は、レンズやエリアイメージセンサーや画像処理回路を備え、被写体を撮影しデジタル画像データを生成する。ユーザーＩ／Ｆ部１１３はスマートフォン１１のユーザーの操作を入力するためのキー（ボタン）やタッチパネルを備える。タッチパネルは、スマートフォン１１のユーザーのタッチ操作を検出する検出部と、制御部１１０の制御に基づく画像を表示するための表示部とを備える。
【００２５】
なお本実施形態において、データ共有アプリケーションプログラムや通信制御プログラムを実行する制御部１１０と第一通信Ｉ／Ｆ部１１４とメモリーカードＩ／Ｆ部１１６とは、第一無線通信部に相当する。特に制御部１１０と第一近接場通信Ｉ／Ｆ部１１４ａとは、第一近接場通信部に相当し、制御部１１０と第一高速無線通信Ｉ／Ｆ部１１４ｂとは、第一高速無線通信部に相当する。また、メモリーカード１１６ａは、第一記録媒体に相当する。また、ユーザーＩ／Ｆ部１１３は第一受付部に相当する。
【００２６】
スマートフォン１２は、スマートフォン１１と同様に、制御部１２０、スピーカー１２１、マイク１２２、ユーザーＩ／Ｆ部１２３、第二通信Ｉ／Ｆ部１２４、カメラ１２５、メモリーカードＩ／Ｆ部１２６等を備えている。制御部１２０は、ＣＰＵ，ＲＡＭ，ＲＯＭ，不揮発性メモリ等からなり、ＲＯＭや不揮発性メモリに記録された各種プログラムをＲＡＭを用いてＣＰＵが実行することができる。当該プログラムには、ＮＦＣやWi-Fi Direct等の様々な通信方式およびプロトコルに基づく通信を行うための通信プログラムや、当該通信制御プログラムと連携してプリンター１０を介した他端末とのデータ共有機能を実現するためのデータ共有アプリケーションプログラムが含まれる。
【００２７】
第二通信Ｉ／Ｆ部１２４は、ＮＦＣによる通信を行うためのインターフェース回路等を含む第二近接場通信Ｉ／Ｆ部１２４ａと、Wi-Fi Directによる通信を行うためのインターフェース回路等を含む第二高速無線通信Ｉ／Ｆ部１２４ｂとを備えている。メモリーカードＩ／Ｆ部１２６は、スマートフォン１２接続されたメモリーカード１２６ａと通信しデータの読み書きや削除等を行うためのインターフェース回路を含む。カメラ１２５は、レンズやエリアイメージセンサーや画像処理回路を備え、被写体を撮影しデジタル画像データを生成する。ユーザーＩ／Ｆ部１２３はスマートフォン１２のユーザーの操作を入力するためのキー（ボタン）やタッチパネルを備える。タッチパネルは、スマートフォン１２のユーザーのタッチ操作を検出する検出部と、制御部１２０の制御に基づく画像を表示するための表示部とを備える。
【００２８】
なお本実施形態において、データ共有アプリケーションプログラムや通信制御プログラムを実行する制御部１２０と第二通信Ｉ／Ｆ部１２４とメモリーカードＩ／Ｆ部１２６とは、第二無線通信部に相当する。特に制御部１２０と第二近接場通信Ｉ／Ｆ部１２４ａとは、第一近接場通信部に相当し、制御部１２０と第二高速無線通信Ｉ／Ｆ部１２４ｂとは、第二高速無線通信部に相当する。また、メモリーカード１２６ａは、第二記録媒体に相当する。
【００２９】
１−２：データ共有シーケンス：
図２はプリンター１０を介したスマートフォン１１とスマートフォン１２とのデータ共有シーケンスを示すシーケンス図である。はじめに、スマートフォン１１のユーザーがユーザーＩ／Ｆ部１１３を操作してデータ共有アプリケーションを起動する。データ共有アプリケーションの起動を指示されると、制御部１１０は、データ共有アプリケーションのメニューとして、本実施形態においては例えば、共有データ送信と、共有データ受信と、共有データ削除の項目をスマートフォン１１のタッチパネルの画面に提示する。ユーザーが共有データ送信を選択すると、制御部１１０は、メモリーカード１１６ａに記録されているデータの一覧を提示する。具体的には例えば、メモリーカード１１６ａにはカメラ１１５で撮影された画像ファイルが記録されており、当該画像ファイルに含まれる画像データの一覧（サムネイル）が表示される。ユーザーがそれら一覧の中から共有対象の画像ファイル（共有データ）を選択し（ステップＳ１００）、スマートフォン１１をプリンター１０の近接場通信Ｉ／Ｆ部１００ａにかざす（ステップＳ１０５）。
【００３０】
なお、ステップＳ１００において選択される共有データ（画像ファイル）の個数は、単数であっても複数であってもよい。なお、ユーザーは選択した共有データに対して共有許可回数を設定することができてもよい。例えば、共有許可回数は初期値として１回が設定されており、共有許可回数を２回以上としたい場合にユーザーがユーザーＩ／Ｆ部１１３を操作して共有許可回数を入力する構成であってもよい。
【００３１】
ステップＳ１０５でユーザーがスマートフォン１１をプリンター１０の近接場通信Ｉ／Ｆ部１００ａにかざすことによってスマートフォン１１の第一近接場通信Ｉ／Ｆ部１１４ａとプリンター１０の近接場通信Ｉ／Ｆ部１００ａとがＮＦＣが可能な距離以内に接近すると、スマートフォン１１の制御部１１０は第一近接場通信Ｉ／Ｆ部１１４ａを介してプリンター１０の近接場通信Ｉ／Ｆ部１００ａに対しＮＦＣによって共有データ送信要求を送信する（ステップＳ１１０）。プリンター１０の制御部１０１は近接場通信Ｉ／Ｆ部１００ａを介して共有データ送信要求を受信すると、ＮＦＣによって第一接続情報を送信する（ステップＳ１１５）。第一接続情報は、スマートフォン１１がプリンター１０とWi-Fi Directによる通信を確立するための情報であり、具体的には例えば、プリンター１０のＳＳＩＤ（Service Set Identifier）やパスワードが含まれる。
【００３２】
ステップＳ１１５にて第一接続情報を受信すると、スマートフォン１１の制御部１１０は第一接続情報をＲＡＭに記録し、第一高速無線通信Ｉ／Ｆ部１１４ｂを制御して第一接続情報に基づいてプリンター１０とのWi-Fi Direct通信の接続を確立し（ステップＳ１２０）、第一高速無線通信Ｉ／Ｆ部１１４ｂを介してプリンター１０の高速無線通信Ｉ／Ｆ部１００ｂに対し、Wi-Fi Direct通信で共有データと共有許可回数を送信する（ステップＳ１２５）。プリンター１０はWi-Fi Directの簡易アクセスポイントとして機能し、プリンター１０とスマートフォン１１とは中継機を介さずに無線通信を行うことができる。なおプリンター１０を簡易アクセスポイントとしたWi-Fi Direct通信では、プリンター１０に同時接続可能な機器の台数に制限が設けられている（例えば最大４台に制限されている）。
【００３３】
プリンター１０の制御部１０１は、ステップＳ１２５で高速無線通信Ｉ／Ｆ部１００ｂによってスマートフォン１１から共有データと共有許可回数とを受信すると、受信した共有データと共有許可回数とを不揮発性メモリに記録し、送信回数を０回に初期化する（ステップＳ１３０）。共有データは、本実施形態においては不揮発性メモリ内の共有フォルダに保存される。当該共有フォルダは、データ共有シーケンス専用のフォルダであり、データ共有シーケンスにおける共有データの一時的な保存フォルダとして利用される。なお、共有データは不揮発性メモリの共有フォルダ内に保存されることに限定されず、共有データをデータ共有シーケンスにおける共有対象のデータとして他のデータと区別する限りにおいてプリンター１０の制御下のどのメモリにどのように共有データが保存されてもよい。また、共有許可回数も不揮発性メモリに記録されることに限定されず、揮発性のＲＡＭに記録されてもよい。
【００３４】
一方、スマートフォン１１の制御部１１０は、ステップＳ１２５にてプリンター１０に共有データと共有許可回数とを送信した後、プリンター１０とのWi-Fi Direct接続を第一高速無線通信Ｉ／Ｆ部１１４によって切断させＲＡＭに記録されていた第一接続情報を破棄する（ステップＳ１３５）。このように本実施形態においては、スマートフォン１１とプリンター１０とのWi-Fi Direct接続の切断が共有データ送信後に自動的に行われるため、ユーザーが手動で切断のための操作をする構成と比較してユーザーの手間を軽減することができる。また、第一接続情報をスマートフォン１１が破棄することにより、スマートフォン１１がプリンター１０と再び自動的にWi-Fi Direct接続を確立することを防止することができる。その結果、スマートフォン１１がプリンター１０とのWi-Fi Direct接続を継続することによって他の無線通信端末がプリンター１０とWi-Fi Directによる接続ができなくことを防止できる。
【００３５】
続いてスマートフォン１２のユーザーがユーザーＩ／Ｆ部１２３を操作してデータ共有アプリケーションを起動し、メニューの中から共有データ受信を選択した状態で、プリンター１０の近接場通信Ｉ／Ｆ部１００ａにスマートフォン１２をかざす（ステップＳ１４０）。スマートフォン１２の第二近接場通信Ｉ／Ｆ部１２４ａとプリンター１０の近接場通信Ｉ／Ｆ部１００ａとがＮＦＣが可能な距離以内に接近すると、スマートフォン１２の制御部１２０は第二近接場通信Ｉ／Ｆ部１２４ａを介してプリンター１０の近接場通信Ｉ／Ｆ部１００ａに対しＮＦＣによって共有データ受信要求を送信する（ステップＳ１４５）。プリンター１０の制御部１０１は近接場通信Ｉ／Ｆ部１００ａを介して共有データ受信要求を受信すると、共有フォルダに保存されている共有データの送信回数は共有許可回数未満であるか否かを判定し（ステップＳ１５０）、送信回数が共有許可回数未満の場合、プリンター１０の制御部１０１は近接場通信Ｉ／Ｆ部１００ａを介してＮＦＣで第二接続情報をスマートフォン１２に対して送信する（ステップＳ１５５）。第二接続情報は、スマートフォン１２がプリンター１０とWi-Fi Directによる通信を確立するための情報であり、具体的には例えば、プリンター１０のＳＳＩＤとパスワードが含まれる。第二接続情報は第一接続情報と同じであってもよいし、異なっていてもよい。
【００３６】
ステップＳ１５５にて第二接続情報を受信すると、スマートフォン１２の制御部１２０は第二接続情報をＲＡＭに記録し、第二高速無線通信Ｉ／Ｆ部１２４ｂを制御して第二接続情報に基づいてプリンター１０とのWi-Fi Directの接続を確立し（ステップＳ１６０）、第二高速無線通信Ｉ／Ｆ部１２４ｂを介してプリンター１０の高速無線通信Ｉ／Ｆ部１００ｂから、Wi-Fi Directによる通信で共有データを受信する（ステップＳ１６５）。スマートフォン１２の制御部１２０は、第二高速無線通信Ｉ／Ｆ部１２４ｂを介して受信した共有データをメモリーカード１２６ａに保存する（ステップＳ１７０）。なお、ステップＳ１５０において送信回数が共有許可回数未満であると判定されない場合は、プリンター１０の制御部１０１は第二接続情報をＮＦＣでスマートフォン１２に送信しない。そのため、その後のWi-Fi Direct通信による共有データの送信も行われずデータ共有シーケンスが終了する。したがって、スマートフォン１１のユーザーが指定した共有許可回数を超えて共有データがプリンター１０から他の端末に送信されることを防止することができる。なおステップＳ１５０にて送信回数が共有許可回数未満であると判定されない場合に、プリンター１０からスマートフォン１２にＮＦＣで、共有データを送信することができない旨のメッセージを送信するようにしてもよい。そして当該メッセージを受信したスマートフォン１２がユーザーＩ／Ｆ部１２３によってユーザーに、共有データを受信できなかった旨を通知することができてもよい。
【００３７】
ステップＳ１７０にて共有データをメモリーカード１２６ａに保存した後、スマートフォン１２の制御部１２０は、プリンター１０とのWi-Fi Direct接続を切断し、ＲＡＭに記録されている第二接続情報を破棄する（ステップＳ１７５）。このようにスマートフォン１２とプリンター１０とのWi-Fi Direct接続の切断が共有データ受信後に自動的に行われることにより、ユーザーが手動で切断のための操作をする構成と比較してユーザーの手間を軽減することができる。また、第二接続情報をスマートフォン１２が破棄することにより、スマートフォン１２がプリンター１０と再び自動的に接続を確立することを防止することができる。
【００３８】
ステップＳ１６５で共有データをスマートフォン１２に送信した後、プリンター１０の制御部１０１は、共有データの送信回数をインクリメントする（ステップＳ１８０）。そしてプリンター１０の制御部１０１は、送信回数が共有許可回数に達したか否かを判定し（ステップＳ１８５）、達したと判定された場合にプリンター１０の制御部１０１は、不揮発性メモリの共有フォルダに記録されている共有データを削除し、共有許可回数を０に初期化する（ステップＳ１９０）。このように、送信回数が共有許可回数に達した場合にプリンター１０が共有フォルダから自動的に共有データを削除することにより、ユーザーが手動でプリンター１０に保存されている共有データを削除するための操作を行う手間を省略することができる。なお、ステップＳ１８５において送信回数が共有許可回数に達したと判定されない場合は、ステップＳ１９０を実行せずにデータ共有シーケンスが終了する。
【００３９】
以上のように、本実施形態の場合、共有データの送信側のスマートフォン１１のユーザーは、共有データを選択した後にプリンター１０にスマートフォン１１をかざすことで、スマートフォン１１とプリンター１０との接続を確立するための設定操作を行うことなく共有データをプリンター１０に送信することができる。そして、共有データの受信側のスマートフォン１２のユーザーは、プリンター１０にスマートフォン１２をかざすことで、スマートフォン１２とプリンター１０との接続を確立するための設定操作を行うことなく共有データをプリンター１０から受信することができる。
【００４０】
また、従来の構成では、共有データ受信側の端末はデータ共有装置の共有フォルダを参照し、共有フォルダの中から取得したいデータを選択するというステップが必要であったが、本実施形態の場合はデータ共有シーケンス専用の共有フォルダに共有データを保存する構成を採用したことによりこのステップを省くことができる。その結果、従来の構成よりも簡単にスマートフォン１２のユーザーは共有データをプリンター１０からスマートフォン１２に取得させることができる。なお共有フォルダ内の全てのデータがスマートフォン１２に送信されることになるが、共有データ送信側のスマートフォン１１のユーザーが指定する共有許可回数だけプリンター１０から共有データが送信されると共有フォルダから共有データが削除される構成であるため、過去に共有フォルダに保存され既に他の端末に送信済の不要なデータまでスマートフォン１２に送信されることを防止できる。以上のように本実施形態によると、できるだけユーザーの手間を省き、簡易な方法でプリンター１０を介した２端末間のデータ共有を実現することができる。
【００４１】
２．他の実施形態：
尚、本発明の技術的範囲は、上述した実施例に限定されるものではなく、本発明の要旨を逸脱しない範囲内において種々変更を加え得ることは勿論である。例えば、上記実施形態においては、プリンター１０が共有データを他の端末に送信した送信回数が共有許可回数に達した場合にプリンター１０が自動的に共有データを共有フォルダから削除する例を説明したが、ユーザーが手動で削除することができてももちろんよい。具体的には例えば、図２に示すシーケンスのステップＳ１３５の後、ステップＳ１４０の前に、スマートフォン１１のユーザーがデータ共有アプリケーションのメニューのうち共有データ削除を選択した状態でスマートフォン１１をプリンター１０にかざすと、ＮＦＣにより共有データの削除指示がプリンター１０に送信される構成であってもよい。そして、ＮＦＣにより削除指示を受信したプリンター１０は共有フォルダに保存されている共有データを削除する構成であってもよい。なお、共有データ受信側のスマートフォン１２も同様に、ユーザーがデータ共有アプリケーションのメニューのうち共有データ削除を選択した状態でスマートフォン１１をプリンター１０にかざしたことに応じて削除指示をプリンター１０に送信することができてもよく、その結果プリンター１０が共有データを削除できる構成であってもよい。なお、データ共有アプリケーションのメニューの中の共有データ削除を選択した状態でプリンター１０にかざす構成に限定されない。例えば、スマートフォン１１から送信された共有データをプリンター１０がスマートフォン１２に送信し終えた段階で、スマートフォン１１またはスマートフォン１２が再びプリンター１０にかざされＮＦＣ可能となったことを検出するとプリンター１０が共有フォルダの共有データを削除する構成であってもよい（端末側で明示的に削除指示操作を行わない構成であってもよい）。なお、プリンター１０の共有フォルダに記録されてから予め決められた時間が経過した場合にプリンター１０が共有データを自動的に削除する構成であってもよい。また、第一実施形態では共有許可回数をユーザーが指定可能であったが、共有許可回数はワンタイム固定であってもよく、プリンター１０から１回送信された後自動的に共有データが削除されてもよい。
【００４２】
また、共有データ送信側のスマートフォン１１は共有データをプリンター１０に送信した後、自動的にプリンター１０とのWi-Fi Direct接続を切断していたが、スマートフォン１１はプリンター１０に共有データ送信後もWi-Fi Direct接続を継続してもよい。そしてWi-Fi Direct接続を継続した状態でプリンター１０とデータ共有に関する様々な通信を行ってもよい。図３に共有データ送信後もWi-Fi Direct接続を継続する場合のシーケンス例を示す。図３において、ステップＳ１００〜Ｓ１３０は第一実施形態と共通であるため説明を省略する。ステップＳ１２５で共有データおよび共有許可回数をプリンター１０に送信した後、スマートフォン１１のユーザーがデータ共有アプリケーションのメニューの中から共有データの送信回数の参照を選択すると（ステップＳ２００）、スマートフォン１１はWi-Fi Direct通信によりプリンター１０に送信回数参照要求を送信する（ステップＳ２０５）。そしてスマートフォン１１はプリンター１０からWi-Fi Direct通信により送信回数を取得し（ステップＳ２１０）、送信回数をタッチパネルの画面に提示する（ステップＳ２１５）ようにしてもよい。なお、プリンター１０が共有データを送信した端末の識別情報等を履歴として記録してもよく、スマートフォン１１からは共有データを受信した端末の識別情報を参照することができてもよい。また、スマートフォン１１のユーザーがデータ共有アプリケーションのメニューから共有データ削除を選択することにより共有データのプリンター１０からの削除を指示してもよい（ステップＳ２２０）。そしてスマートフォン１２からWi-Fi Direct通信により削除指示がプリンター１０に送信され（ステップＳ２２５）、削除指示を受信したことに応じてプリンター１０が共有フォルダ内の共有データを削除し、共有許可回数を０に初期化する（ステップＳ２３０）ことができてもよい。なお、スマートフォン１２とプリンター１０とのWi-Fi接続は、例えばスマートフォン１２のユーザーがスマートフォン１２に切断指示を入力したことに応じて切断することができてもよい。
【００４３】
さらに、第一実施形態では、ＮＦＣによってWi-Fi Direct接続のための接続情報を受信した後、Wi-Fi通信で共有データを転送する例を説明したが、共有データの送受信はＮＦＣによって行われてもよい。Wi-Fi Direct通信よりも低速なＮＦＣであっても、共有データのサイズが例えば予め決められた閾値よりも小さければ、通信時間の長時間化によってユーザーにストレスを与える可能性を低減できる。また、共有データのサイズが比較的大きい場合も、高速通信が可能なＮＦＣをデータ共有システムが採用している場合は、ＮＦＣで共有データを送受信してもよい。なお、ＮＦＣで共有データを送信する構成の場合、図２に示すシーケンスにおけるステップＳ１１５，Ｓ１２０，Ｓ１３５，Ｓ１５５，Ｓ１６０，Ｓ１７５が不要となり、ステップＳ１２５，Ｓ１６５はＮＦＣによって送信されることになる。
【００４４】
また、上記実施形態では、データ共有装置としてプリンターを例に挙げたが、データ共有装置は無線通信機能と共有データの保存機能を備えていればよく、プリンター以外にも例えばフォトビューワ等に適用することもできる。また、第一無線通信端末や第二無線通信端末は、スマートフォンに限定されず、例えば無線通信機能と共有データ保存機能を有するデジタルカメラやタブレット端末等であってもよい。また、第一記録媒体や第二記録媒体はリムーバブルメモリであることに限定されず、第一無線通信端末や第二無線通信端末の内臓メモリであってもよい。また、データ共有装置の記録媒体についても、リムーバブルメモリであっても内蔵メモリであってもどちらでもよい。
【００４５】
また、第一実施形態では、共有データの送信回数はプリンター１０が他端末に共有データを送信した回数を意味していたが、プリンター１０から共有データが出力された回数とする構成であってもよい。例えばプリンター１０が共有データを印刷した場合にその回数も送信回数としてカウントしてもよい。
【符号の説明】
【００４６】
１…データ共有システム、１０…プリンター、１１…スマートフォン、１２…スマートフォン、１００    …通信Ｉ／Ｆ部、１００ａ…近接場通信Ｉ／Ｆ部、１００ｂ…高速無線通信Ｉ／Ｆ部、１０１…制御部、１０２…印刷部、１０３…ユーザーＩ／Ｆ部、１１０…制御部、１１１…スピーカー、１１２…マイク、１１３…ユーザーＩ／Ｆ部、１１４…第一通信Ｉ／Ｆ部、１１４ａ…第一近接場通信Ｉ／Ｆ部、１１４ｂ…第一高速無線通信Ｉ／Ｆ部、１１５…カメラ、１１６…メモリーカードＩ／Ｆ部、１１６ａ…メモリーカード、１２０…制御部、１２１…スピーカー、１２２…マイク、１２３…ユーザーＩ／Ｆ部、１２４…第二通信Ｉ／Ｆ部、１２４ａ…第二近接場通信Ｉ／Ｆ部、１２４ｂ…第二高速無線通信Ｉ／Ｆ部、１２５…カメラ、１２６…メモリーカードＩ／Ｆ部、１２６ａ…メモリーカード
【図１】
0006613797.tif 000002
【図２】
0006613797.tif 000003
【図３】
0006613797.tif 000004